(57)【要約】【課題】テレビジョンモニタ等の外部機器が接続されるビデオ信号出力端子を有する機器において、ビデオ信号出力端子に外部機器が接続されているか否かをシンプルな回路構成で検出することができるビデオ信号出力制御回路を提供する。【解決手段】このビデオ信号出力制御回路は、コンポジットビデオ信号において、同期信号とバースト信号と映像表示部分とを除く一部に所定の電位を有する参照信号を挿入して、参照信号が挿入されたディジタルビデオ信号を出力するビデオエンコーダと、ビデオエンコーダから出力されるディジタルビデオ信号をアナログビデオ信号に変換して、アナログビデオ信号をビデオ信号出力端子に供給するディジタル／アナログ変換回路と、ビデオ信号出力端子に供給されるアナログビデオ信号に挿入された参照信号に基づいて２値信号を生成するＣＭＯＳの論理回路とを具備する。【選択図】図１
2010093468.tif 000002
【特許請求の範囲】
【請求項１】
コンポジットビデオ信号において、同期信号とバースト信号と映像表示部分とを除く一部に所定の電位を有する参照信号を挿入して、参照信号が挿入されたディジタルビデオ信号を出力するビデオエンコーダと、
前記ビデオエンコーダから出力されるディジタルビデオ信号をアナログビデオ信号に変換して、アナログビデオ信号をビデオ信号出力端子に供給するディジタル／アナログ変換回路と、
前記ビデオ信号出力端子に供給されるアナログビデオ信号に挿入された参照信号に基づいて２値信号を生成するＣＭＯＳの論理回路と、
を具備するビデオ信号出力制御回路。
【請求項２】
前記参照信号が、前記ビデオ信号出力端子に外部機器が接続されているときに、前記論理回路の電源電圧の中点より小さい電位を有し、前記ビデオ信号出力端子に外部機器が接続されていないときに、前記論理回路の電源電圧の中点より大きい電位を有する、請求項１記載のビデオ信号出力制御回路。
【請求項３】
前記ビデオエンコーダが、所定のタイミングにおいて前記論理回路によって生成される２値信号に基づいて、前記ビデオ信号出力端子に外部機器が接続されているか否かを判定する、請求項１又は２記載のビデオ信号出力制御回路。
【請求項４】
前記ビデオ信号出力端子に外部機器が接続されていないと前記ビデオエンコーダが判定したときに、前記ビデオエンコーダ及び／又は前記ディジタル／アナログ変換回路の動作を停止させる制御手段をさらに具備する、請求項３記載のビデオ信号出力制御回路。
【発明の詳細な説明】
【技術分野】
【０００１】
本発明は、ビデオ信号を扱う機器において、ディジタルビデオ信号をアナログビデオ信号に変換してテレビジョンモニタ等の外部機器に出力するビデオ信号出力制御回路に関する。
【背景技術】
【０００２】
例えば、ディジタルビデオムービーやＰＤＡ（personal digital assistance：個人用携帯情報端末）等の機器においては、ＮＴＳＣ方式等のコンポジットビデオ信号をテレビジョンモニタ等の外部機器に出力することが行われており、そのために、テレビジョンモニタ等が接続されるビデオ信号出力端子が設けられている。
【０００３】
しかしながら、常にテレビジョンモニタ等がビデオ信号出力端子に接続されているとは限らないので、テレビジョンモニタ等がビデオ信号出力端子に接続されていないときには、ビデオ信号出力回路が無駄に動作して、不要な消費電力が生じてしまうという問題があった。特に、バッテリーによって駆動される携帯機器においては、このような不要な消費電力を削減することが望まれている。
【０００４】
関連する技術として、特許文献１には、ビデオ機器本体とビデオ周辺機器との接続状態を純電気的に検出することにより、コネクタを大きくすることなくビデオ機器本体からビデオ周辺機器にビデオ信号を送受することができ、かつ、プッシュスイッチや特別なピンを設けることなくビデオ機器本体とビデオ周辺機器との接続の検出ができるビデオ周辺機器の接続検出回路が開示されている。この接続検出回路は、それぞれ直列に接続された直流分阻止コンデンサ、本体側終端抵抗、及び、本体側コネクタを有するビデオ機器本体と、周辺機器側コネクタと該周辺機器側コネクタに直列に接続された周辺機器側終端抵抗とを有する周辺機器が接続されているかどうかを検出する回路であって、（ａ）それぞれ直列に接続され、かつ、前記直流分阻止コンデンサ及び本体側終端抵抗の接続点とグラウンドとの間に接続されたバイアス電源及びバイアス抵抗と、（ｂ）前記直流分阻止コンデンサ及び本体側終端抵抗の接続点とグラウンドとの間に接続された基準電圧作成用抵抗と、（ｃ）前記本体側終端抵抗及び前記本体側コネクタの接続点の電圧と前記基準電圧作成用抵抗により作成した電圧とを比較するコンパレータとを備えている。
【０００５】
特許文献１に開示されているように、ビデオ機器本体とビデオ周辺機器との接続を検出するためには、２つの電位を比較するためにコンパレータやオペアンプ等の回路が必要となるが、コンパレータやオペアンプ等の回路は複雑であり、回路のレイアウト面積が大きくなってしまう。そこで、ビデオ信号出力端子の接続状態をもっとシンプルな回路構成で検出することが望まれている。
【特許文献１】特開平６−３８１５０号公報（第２〜３頁、図１）
【発明の開示】
【発明が解決しようとする課題】
【０００６】
上記の点に鑑み、本発明は、テレビジョンモニタ等の外部機器が接続されるビデオ信号出力端子を有する機器において、ビデオ信号出力端子に外部機器が接続されているか否かをシンプルな回路構成で検出することができるビデオ信号出力制御回路を提供することを目的とする。
【課題を解決するための手段】
【０００７】
以上の課題を解決するため、本発明の１つの観点に係るビデオ信号出力制御回路は、コンポジットビデオ信号において、同期信号とバースト信号と映像表示部分とを除く一部に所定の電位を有する参照信号を挿入して、参照信号が挿入されたディジタルビデオ信号を出力するビデオエンコーダと、ビデオエンコーダから出力されるディジタルビデオ信号をアナログビデオ信号に変換して、アナログビデオ信号をビデオ信号出力端子に供給するディジタル／アナログ変換回路と、ビデオ信号出力端子に供給されるアナログビデオ信号に挿入された参照信号に基づいて２値信号を生成するＣＭＯＳの論理回路とを具備する。
【０００８】
ここで、参照信号が、ビデオ信号出力端子に外部機器が接続されているときに、論理回路の電源電圧の中点より小さい電位を有し、ビデオ信号出力端子に外部機器が接続されていないときに、論理回路の電源電圧の中点より大きい電位を有するようにしても良い。また、ビデオエンコーダが、所定のタイミングにおいて論理回路によって生成される２値信号に基づいて、ビデオ信号出力端子に外部機器が接続されているか否かを判定するようにしても良い。さらに、このビデオ信号出力制御回路は、ビデオ信号出力端子に外部機器が接続されていないとビデオエンコーダが判定したときに、ビデオエンコーダ及び／又はディジタル／アナログ変換回路の動作を停止させる制御手段をさらに具備するようにしても良い。
【発明の効果】
【０００９】
本発明によれば、コンポジットビデオ信号において同期信号とバースト信号と映像表示部分とを除く一部に所定の電位を有する参照信号を挿入することにより、ビデオ信号出力端子に外部機器が接続されているか否かをシンプルな回路構成で検出することができる。
【発明を実施するための最良の形態】
【００１０】
以下、本発明を実施するための最良の形態について、図面を参照しながら詳しく説明する。なお、同一の構成要素には同一の参照番号を付して、説明を省略する。
図１は、本発明の第１の実施形態に係るビデオ信号出力制御回路を含む構成を示す図である。例えば、ディジタルビデオムービーには、図１に示すように、ＣＣＤ等の撮像素子を用いて被写体を撮像して得られたディジタルビデオ信号を格納するビデオ信号格納手段としてのフレームメモリ１０と、フレームメモリ１０から読み出されたビデオ信号にディジタル信号処理を施し、ディジタルビデオ信号をアナログビデオ信号に変換して出力するビデオ信号出力制御回路２０と、テレビジョンモニタ等の外部機器を接続するためのビデオ信号出力端子とが設けられている。ビデオ信号出力制御回路２０から出力されるビデオ信号は、ＮＴＳＣ方式、ＰＡＬ方式、又は、ＳＥＣＡＭ方式等のコンポジットビデオ信号である。
【００１１】
ビデオ信号出力制御回路２０は、ＣＰＵを含み各部の制御を行う制御部２１と、制御部２１のＣＰＵに動作を行わせるためのソフトウェア（制御プログラム）を格納する格納部２２と、フレームメモリ１０から読み出されたビデオ信号に対してディジタル信号処理を施すビデオエンコーダ２３と、ビデオエンコーダ２３から出力されるディジタルビデオ信号をアナログビデオ信号に変換して、アナログビデオ信号をビデオ信号出力端子に供給する電流加算型のビデオＤＡＣ（ディジタル／アナログ変換回路）２４と、ビデオＤＡＣ２４の出力電流が流れる出力抵抗２５と、ビデオ信号出力端子に供給されるアナログビデオ信号が印加される入力端子を有するＣＭＯＳの論理回路（図１においては、ＮＡＮＤ回路２６を示す）とを含んでいる。
【００１２】
ここで、制御部２１〜ビデオＤＡＣ２４の前半、及び、ＮＡＮＤ回路２６には、ディジタル系の電源電圧ＤＶＤＤ（本実施形態においては、１．５Ｖとする）が供給され、ビデオＤＡＣ２４の後半には、アナログ系の電源電圧ＡＶＤＤ（本実施形態においては、３．０Ｖとする）が供給される。
【００１３】
図１において、負荷となるテレビジョンモニタ等の外部機器の入力インピーダンスが負荷抵抗３０として示されている。一般に、コンポジットビデオ信号伝送用ケーブルの特性インピーダンスは７５Ωであるので、インピーダンスマッチングを図るために、ビデオ信号出力制御回路２０の出力抵抗２５の値が７５Ωとされ、負荷抵抗３０の値も７５Ωとなっている。
【００１４】
ビデオエンコーダ２３は、基準となるクロック信号に同期して、水平同期や垂直同期等の各種のタイミング信号を生成すると共に、フレームメモリ１０から読み出されたビデオ信号に対してズーム処理、色の変換処理、又は、色のフォーマット変換処理等を施して、コンポジットビデオ信号を生成する。さらに、本実施形態においては、ビデオエンコーダ２３が、コンポジットビデオ信号において、垂直同期信号と水平同期信号とカラーバースト信号と映像表示部分とを除く一部に所定の電位を有する参照信号を挿入して、参照信号が挿入されたディジタルビデオ信号を出力する。
【００１５】
図２は、参照信号が挿入されたディジタルビデオ信号を示す波形図である。ここでは、例として、１水平同期期間（１Ｈ）におけるカラーバー信号を示す。第１の実施形態においては、ビデオ信号出力端子が負荷抵抗３０によって終端されているときに、水平同期信号の電位が０Ｖであり、１００％ホワイト信号の電位が１．０Ｖであり、カラーバー信号の最大電位が１．３Ｖであるものとする。図２に示すように、ホワイトを含む７色のカラーバーを表す部分の後に参照信号が挿入される。第１の実施形態においては、ビデオ信号出力端子が負荷抵抗３０によって終端されているときに、参照信号の電位が０．５Ｖである。また、参照信号の期間は０．５μｓ〜１μｓである。
【００１６】
図１に示すビデオ信号出力端子に外部機器が接続されているときには、ビデオＤＡＣ２４の出力に７５Ωの出力抵抗２５と７５Ωの負荷抵抗３０とが並列に接続されるので、ビデオ信号出力端子における合成抵抗は３７．５Ωとなる。一方、ビデオ信号出力端子に外部機器が接続されていないときには、ビデオＤＡＣ２４の出力に７５Ωの出力抵抗２５のみが接続されるので、ビデオ信号出力端子における合成抵抗は７５Ωとなる。従って、ビデオ信号出力端子に外部機器が接続されていないときのビデオ信号の電位は、ビデオ信号出力端子に外部機器が接続されているときのビデオ信号の電位の約２倍となる。
【００１７】
制御部２１は、ビデオ信号出力端子の接続状態を検出する際に、イネーブル信号をハイレベルに活性化する。ＮＡＮＤ回路２６は、ビデオ信号に参照信号が挿入されている期間において、ビデオ信号出力端子に供給されるアナログビデオ信号に挿入された参照信号に基づいて２値信号を生成する。ビデオ信号出力端子に外部機器が接続されているときには、参照信号の電位が０．５Ｖであるので、ディジタル系の電源電圧ＤＶＤＤ（１．５Ｖ）が供給されて動作するＮＡＮＤ回路２６は、参照信号がローレベルであると認識して、ハイレベルの検出信号を出力する。一方、ビデオ信号出力端子に外部機器が接続されていないときには、参照信号の電位が１．０Ｖであるので、ディジタル系の電源電圧ＤＶＤＤ（１．５Ｖ）が供給されて動作するＮＡＮＤ回路２６は、参照信号がハイレベルであると認識して、ローレベルの検出信号を出力する。
【００１８】
一般に、参照信号が入力される論理回路の入力しきい電位（ロジックレベル）が論理回路の電源電圧の中点である場合には、参照信号が、ビデオ信号出力端子に外部機器が接続されているときに、論理回路の電源電圧の中点より小さい電位を有し、ビデオ信号出力端子に外部機器が接続されていないときに、論理回路の電源電圧の中点より大きい電位を有するようにすれば良い。このようにすれば、ビデオ信号出力端子に外部機器が接続されているか否かを、ＰチャネルＭＯＳトランジスタとＮチャネルＭＯＳトランジスタとを用いたＣＭＯＳのシンプルな回路構成で検出することができる。
【００１９】
ビデオエンコーダ２３は、ビデオ信号に参照信号が挿入されている期間内の所定のタイミングにおいて、ＮＡＮＤ回路２６によって生成される２値信号に基づいて、ビデオ信号出力端子に外部機器が接続されているか否かを判定する。制御部２１は、ビデオ信号出力端子に外部機器が接続されていないとビデオエンコーダ２３が判定したときに、ビデオエンコーダ２３及び／又はビデオＤＡＣ２４の動作を停止させる。
【００２０】
ただし、ビデオ信号の出力を停止すると、ビデオ信号出力端子に外部機器が接続されても検出できなくなるので、マニュアル操作に応じてビデオ信号の出力を再開させたり、外部機器からビデオ信号出力端子にノイズが印加された際にビデオ信号の出力を再開させたりすることが必要である。ビデオ信号出力端子に外部機器が接続される前においては、ディジタルビデオムービーのアース電位と外部機器のアース電位とは異なっているので、ビデオ信号出力端子に外部機器が接続されるとビデオ信号出力端子にノイズ電圧が発生する。そこで、制御部２１が、イネーブル信号をハイレベルに活性化しておき、ＮＡＮＤ回路２６が、ビデオ信号出力端子に印加されるノイズ電圧に基づいてハイレベルの検出信号を制御部２１に出力することにより、制御部２１がビデオ信号の出力を再開させることができる。
【００２１】
次に、本発明の第２の実施形態について説明する。
図３は、本発明の第２の実施形態に係るビデオ信号出力制御回路を含む構成を示す図である。第２の実施形態に係るビデオ信号出力制御回路２０ａにおいては、イネーブル信号が省略され、図１に示すＮＡＮＤ回路２６がインバータ２７に変更されている。インバータ２７は、アナログ系の電源電圧ＡＶＤＤ（本実施形態においては、３．０Ｖとする）が供給されて動作する。その他の点に関しては、第１の実施形態におけるのと同様である。
【００２２】
第２の実施形態においても、ビデオ信号出力端子が負荷抵抗３０によって終端されているときに、水平同期信号の電位が０Ｖであり、１００％ホワイト信号の電位が１．０Ｖであり、カラーバー信号の最大電位が１．３Ｖであるものとする。図２に示すように、ホワイトを含む７色のカラーバーを表す部分の後に参照信号が挿入される。第２の実施形態においては、ビデオ信号出力端子が負荷抵抗３０によって終端されているときに、参照信号の電位が１．０Ｖである。また、参照信号の期間は０．５μｓ〜１μｓである。
【００２３】
図３に示すビデオ信号出力端子に外部機器が接続されているときには、ビデオＤＡＣ２４の出力に７５Ωの出力抵抗２５と７５Ωの負荷抵抗３０とが並列に接続されるので、ビデオ信号出力端子における合成抵抗は３７．５Ωとなる。一方、ビデオ信号出力端子に外部機器が接続されていないときには、ビデオＤＡＣ２４の出力に７５Ωの出力抵抗２５のみが接続されるので、ビデオ信号出力端子における合成抵抗は７５Ωとなる。従って、ビデオ信号出力端子に外部機器が接続されていないときのビデオ信号の電位は、ビデオ信号出力端子に外部機器が接続されているときのビデオ信号の電位の約２倍となる。
【００２４】
インバータ２７は、ビデオ信号に参照信号が挿入されている期間において、ビデオ信号出力端子に供給されるアナログビデオ信号に挿入された参照信号に基づいて２値信号を生成する。ビデオ信号出力端子に外部機器が接続されているときには、参照信号の電位が１．０Ｖであるので、アナログ系の電源電圧ＡＶＤＤ（３．０Ｖ）が供給されて動作するインバータ２７は、参照信号がローレベルであると認識して、ハイレベルの検出信号を出力する。一方、ビデオ信号出力端子に外部機器が接続されていないときには、参照信号の電位が２．０Ｖであるので、アナログ系の電源電圧ＡＶＤＤ（３．０Ｖ）が供給されて動作するインバータ２７は、参照信号がハイレベルであると認識して、ローレベルの検出信号を出力する。
【００２５】
ビデオエンコーダ２３は、ビデオ信号に参照信号が挿入されている期間内の所定のタイミングにおいて、インバータ２７によって生成される２値信号に基づいて、ビデオ信号出力端子に外部機器が接続されているか否かを判定する。制御部２１は、ビデオ信号出力端子に外部機器が接続されていないとビデオエンコーダ２３が判定したときに、ビデオエンコーダ２３及び／又はビデオＤＡＣ２４の動作を停止させる。
【００２６】
以上の実施形態においては、ビデオＤＡＣ２４として電流加算型のＤＡＣを用いる場合について説明したが、ビデオＤＡＣ２４として電圧出力型のＤＡＣを用いても良く、その場合には、出力抵抗２５が、ビデオＤＡＣ２４とビデオ信号出力端子との間に直列に接続される。
【図面の簡単な説明】
【００２７】
【図１】本発明の第１の実施形態に係るビデオ信号出力制御回路を含む構成を示す図。
【図２】参照信号が挿入されたディジタルビデオ信号を示す波形図。
【図３】本発明の第２の実施形態に係るビデオ信号出力制御回路を含む構成を示す図。
【符号の説明】
【００２８】
１０  フレームメモリ、  ２０、２０ａ  ビデオ信号出力制御回路、  ２１  制御部、  ２２  格納部、  ２３  ビデオエンコーダ、  ２４  ビデオＤＡＣ、  ２５  出力抵抗、  ２６  ＮＡＮＤ回路、  ２７  インバータ、  ３０  負荷抵抗
【図１】
2010093468.tif 000003
【図２】
2010093468.tif 000004
【図３】
2010093468.tif 000005